(57)【要約】【課題】  小型でピックアップに搭載された部品の温度上昇を低減した光ディスク装置および光ディスク装置のピックアップ冷却方法を提供する。【解決手段】  筐体には開口部が設けられている。貫通部が設けられたディスクトレイは、開口部が開閉可能となるように往復動可能に支持されている。ディスクトレイにはシャッターが設けられている。シャッターは開口部が閉状態の際には貫通部の少なくとも一部を開く。シャッターは開口部が閉状態から開状態へと変化した際には、開いた貫通部少なくとも一部を閉じる。【選択図】  図３
2007080364.tif 000002
【特許請求の範囲】
【請求項１】
開口部が設けられた筐体と、
前記開口部を開閉するための開閉手段と、
その一部に貫通部が設けられたディスクトレイと、
前記ディスクトレイと所定の間隙をもって前記ディスクトレイの一方の面側にて光ディスクを回転させるための光ディスク駆動手段と、
前記ディスクトレイの他方の面側にて往復動可能に設けられ、前記貫通部を通して前記光ディスクに光ビームを照射およびその反射光を検出するためのピックアップと、
前記開口部が開状態の際には前記貫通部の少なくとも一部を前記ピックアップの少なくとも一部を覆う様に遮蔽し、前記開口部が閉状態の際には遮蔽された前記貫通部の少なくとも一部を開くシャッターと、
を有することを特徴とする光ディスク装置。
【請求項２】
前記開閉手段による開閉動作の変位を、前記シャッターへ伝達するための変位伝達手段をさらに有すること特徴とする請求項１に記載の光ディスク装置。
【請求項３】
前記開閉手段は、前記ディスクトレイを前記筐体に対して往復動可能に支持するスライドレールを有することを特徴とする請求項１または請求項２に記載の光ディスク装置。
【請求項４】
前記開閉手段は、前記開口部を開閉するためのカバーを有することを特徴とする請求項１または請求項２に記載の光ディスク装置。
【請求項５】
開口部が設けられた筐体と、
前記開口部を開閉するための開閉手段と、
その一部に貫通部が設けられたディスクトレイと、
前記ディスクトレイと所定の間隙をもって前記ディスクトレイの一方の面側にて光ディスクを回転させるための光ディスク駆動手段と、
前記ディスクトレイの他方の面側にて往復動可能に設けられ、前記貫通部を通して前記光ディスクに光ビームを照射およびその反射光を検出するためのピックアップと、
前記貫通部の少なくとも一部を遮蔽するためのシャッターとを有する光ディスク装置のピックアップ冷却方法であって、
前記開口部が開状態の際には前記貫通部の少なくとも一部を前記ピックアップの少なくとも一部を覆う様に前記シャッターにて遮蔽し、前記開口部が閉状態の際には前記シャッターにて遮蔽された前記貫通部の少なくとも一部を開く事を特徴とする光ディスク装置のピックアップ冷却方法。
【発明の詳細な説明】
【技術分野】
【０００１】
本発明は、光ディスク装置および光ディスク装置のピックアップ冷却方法に関する。
【背景技術】
【０００２】
ＤＶＤやＣＤ等の光ディスクへの情報の記録または読み出しに用いる光ディスク装置には、例えばレーザダイオード、レーザドライバ等の部品が実装されたピックアップや、このピックアップを光ディスクの半径方向に往復動させるための移動装置、光ディスクを回転させるための駆動装置が内蔵されている。
【０００３】
近年、光ディスク装置の小型化および、読み取りまたは書き込み速度高速化に伴い、レーザダイオード、レーザドライバ等の部品の温度上昇による、性能低下、寿命劣化および誤動作を防ぐことが課題となっている。
【０００４】
これに対して、従来の光ディスク装置では、光ディスクを回転させると光ディスクの中心部分に負圧が発生することに着目している。光ディスク中心に向かって冷却用空気を案内する案内部を設置して、この冷却用空気の導風路上に部品を配置することで、ファンを設置することなく、ピックアップを含む部品を冷却している（特許文献１）。
【０００５】
また、従来の光ディスク装置では、筐体内部を光ディスクが格納されるディスク室と部品が格納される機械室とに分割している。トレイの光ディスク中心側に一方の開口部、トレイの側壁に他方の開口部が設けられている。この２つの開口部を設けることで、光ディスク装置内の空気をピックアップ回りに循環している（特許文献２）。
【０００６】
また、従来の光ディスク装置では、トレイの光ディスク外周側相当する位置にスリットを間にして一対の開口部を設け、この開口部上に蓋を開閉自在に配置し、ピックアップが光ディスクの外周側に移動したときに、ピックアップと蓋が係合することによりピックアップの移動を蓋へと伝達し、蓋が開くことにより開口部から外気を導いてピックアップを冷却している（特許文献３）。
【特許文献１】特開２０００−１７３２５９
【特許文献２】特開２００４−１２７４６７
【特許文献３】特開２００４−３４２１６０
【発明の開示】
【発明が解決しようとする課題】
【０００７】
しかし、特許文献１に記載された従来の光ディスク装置は、光ディスクの回転による空気流を冷却に使用するための導風路を要し、ノート型等の小型のコンピュータや小型のＤＶＤ録画再生装置に用いられる、通称「スリムドライブ」と呼ばれる薄型の光ディスク装置に適用することが難しい。
【０００８】
一方、特許文献２に記載された従来の光ディスク装置は、他方の開口部が側壁に設けられているが、薄型の光ディスク装置ではその薄さを実現するために側壁の高さも非常に小さく、十分な量の空気を循環することができず、ピックアップの冷却効果が小さい。
【０００９】
また、特許文献３に記載された従来の光ディスク装置は、ピックアップの移動を蓋へと伝達している。このため、ピックアップが光ディスク外周側へ移動する際、ピックアップを移動させるための力が増大するため、ピックアップ移動可能に支持する支持機構および移動装置への負荷が大きい。これはピックアップの位置精度に影響する他、移動装置の大型化を招いてしまう。
【００１０】
本発明は、このような事情を鑑みてされたもので、小型でピックアップに搭載された部品の温度上昇を低減した光ディスク装置および光ディスク装置のピックアップ冷却方法を提供することを目的とする。
【課題を解決するための手段】
【００１１】
上記目的を達成するために、本発明の光ディスク装置は、開口部が設けられた筐体と、前記開口部を開閉するための開閉手段と、その一部に貫通部が設けられたディスクトレイと、前記ディスクトレイと所定の間隙をもって前記ディスクトレイの一方の面側にて光ディスクを回転させるための光ディスク駆動手段と、前記ディスクトレイの他方の面側にて往復動可能に設けられ、前記貫通部を通して前記光ディスクに光ビームを照射およびその反射光を検出するためのピックアップと、前記開口部が開状態の際には前記貫通部の少なくとも一部を前記ピックアップの少なくとも一部を覆う様に遮蔽し、前記開口部が閉状態の際には遮蔽された前記貫通部の少なくとも一部を開くシャッターと、を有することを特徴とする。
【００１２】
また、本発明の光ディスク装置のピックアップ冷却方法は、開口部が設けられた筐体と、前記開口部を開閉するための開閉手段と、その一部に貫通部が設けられたディスクトレイと、前記ディスクトレイと所定の間隙をもって前記ディスクトレイの一方の面側にて光ディスクを回転させるための光ディスク駆動手段と、前記ディスクトレイの他方の面側にて往復動可能に設けられ、前記貫通部を通して前記光ディスクに光ビームを照射およびその反射光を検出するためのピックアップと、前記貫通部の少なくとも一部を遮蔽するためのシャッターとを有する光ディスク装置のピックアップ冷却方法であって、前記開口部が開状態の際には前記貫通部の少なくとも一部を前記ピックアップの少なくとも一部を覆う様に前記シャッターにて遮蔽し、前記開口部が閉状態の際には前記シャッターにて遮蔽された前記貫通部の少なくとも一部を開く事を特徴とする。
【発明の効果】
【００１３】
本発明は、小型でピックアップに搭載された部品の温度上昇を低減した光ディスク装置および光ディスク装置のピックアップ冷却方法を提供することができる。
【発明を実施するための最良の形態】
【００１４】
以下、本発明の実施の形態を図面を参照して説明する。
【００１５】
（本発明の第１の実施の形態）
図１は本発明の第１の実施の形態に係る光ディスク装置を示す斜視図である。なお、図１では、説明の都合上、後述するシャッターについては、その図示を省略している。
【００１６】
図１は、スリムタイプの光ディスク装置１００であって、筐体１からディスクトレイ２が引き出された状態を示している。
【００１７】
筐体１には、ディスクトレイ２が引き出される方向に開口部が設けられている。筐体１は箱形形状を有し、底部筐体ボトムキャビネット１Ａ及びこの底部筐体１Ａを覆う様に固定される天板部１Ｂから構成されている。この筐体１の背面部分には、図示しないディスク装置を制御するＰＣボード、このＰＣボードに接続されたフレキシブルケーブル、ソレノイド、その他の機構部等が収納保持されている。
【００１８】
底部筐体１Ａの内部の両側面には、図示しないスライドホルダがそれぞれ設けられている。スライドホルダには、スライド３がスライド可能に保持されている。また、このスライド３は、同様にディスクトレイ２の両側面に設けられたスライドホルダ４にスライド可能に保持されている。それぞれのスライドホルダ４の間に、ディスクトレイ２が設けられている。このように、ディスクトレイ２は、スライド３及びスライドホルダ４を有するスライド機構（スライドレール）によって筐体１に対して往復動可能に支持されている。
【００１９】
ディスクトレイ２は、ドロワーフレーム５内に機構部６が振動吸収用の図示しないクッションを介して装着され、その底部がドロワーカバーで塞がれている。また、ドロワーフレーム５の前面には、フロントベゼル板７が取り付けられている。フロントベセル板７は、筐体１に設けられた開口部を閉じることができる形状を有している。この様に、スライド機構とフロントベゼル板７を有する開閉機構（開閉手段）は、筐体１に設けられた開口部を開閉するために設けられている。
【００２０】
機構部６は、シャーシ１０を備え、このシャーシ１０には、光ディスク駆動手段が設けられている。光ディスク駆動手段には、後述するスピンドル、ハブ８、ターンテーブル９が設けられている。ディスクモータユニットはシャーシ１０に固定されている。ディスクモータユニット（後述する）のスピンドルには、光ディスク２０を保持し、光ディスク２０を回転するためのハブ８並びにターンテーブル９が設けられている。光ディスク２０は、光ディスク駆動手段によって、ディスクトレイ２の天板部１Ｂ側の面（一方の面）にて回転駆動される。
【００２１】
また、シャーシ１０には、ピックアップヘッド１２が移動する範囲に亘って矩形状の孔１３が設けられている。また、シャーシ１０及びドロワーフレーム５に渡って、孔１３よりもその幅が広い孔１５が設けられている。孔１３と孔１５から構成される貫通部は、ピックアップヘッド１２の対物レンズ１４が露出可能となる様に設けられている。また、孔１５については、対物レンズ１４に加え、ピックアップヘッド１２の他の部分の少なくとも一部もさらに露出可能となる様に設けられている。
【００２２】
ピックアップヘッド１２は、シャーシ１０に取り付けられた後述するピックアップシャフトによって、シャーシ１０のドロワーカバー側の面（他方の面）側にて往復動可能に支持されている。シャーシ１０内には、更にピックアップヘッド１２を移動させる為のフィードモータ及びギヤ機構（いずれも図示せず）が設けられ、ピックアップヘッド１２、ディスクモータユニット、フィードモータ等は、ＰＣボードに接続されたフレキシブルケーブルに接続されている。
【００２３】
図２は本発明の第１の実施の形態に係る光ディスク装置１００の内部を一部拡大して示す図である。
【００２４】
ピックアップヘッド１２には、第１の光モジュール１１００と、第２の光モジュール１２００と、波長選択性反射手段１３００と、立ち上げ手段１４００と、対物レンズ１４と、ディスクモータユニット１８００と、が設けられている。
【００２５】
第１の光モジュール１１００は、コンパクトディスク（ＣＤ）のための光モジュールであり、第２の光モジュール１２００は、デジタルビデオディスク（ＤＶＤ）のための光モジュールである。
【００２６】
第１の光モジュール１１００には、第１の半導体レーザ、第１の回折手段、第１の受光素子、及び第１の入出力端子部が設けられている。そして第１の入出力端子部から印加された信号に従って第１の半導体レーザから第１のレーザ光を出射し、光ディスク２０に照射されて反射してきた前記第１のレーザ光を前記第１の回折手段で回折させて前記第１の受光素子で受光し、この受光素子からの電気信号を前記第１の入出力端子部から出力する。
【００２７】
前記第２の光モジュール１２００は、平坦部を有する第２の基板に第２の半導体レーザ、第２の回折手段、第２の受光素子、及び第２の入出力端子部を有し、前記第２の入出力端子部から印加された信号に従って前記第２の半導体レーザから前記第１のレーザより短い波長を有する第２のレーザ光を出射し、光ディスクに照射されて反射してきた前記第２のレーザ光を前記第２の回折手段で回折させて前記第２の受光素子で受光し、この受光素子からの電気信号を前記第２の入出力端子部から出力する。
【００２８】
波長選択性反射手段１３００は、前記第１のレーザ光を透過させ、前記第２のレーザ光を反射させる。立ち上げ手段１４００は、第１または第２のレーザ光を対物レンズ１４に向けて出射する。また、光ディスク２０から反射してきた光を、波長選択性反射手段１３００に向けて導く。対物レンズ１４は、立ち上げ手段１４００からのレーザ光を光ディスク２０に照射するもので、フォーカスが図示しないフォーカス制御手段により制御される。
【００２９】
ディスクモータユニット１８００は、光ディスク２０を回転駆動するための駆動力を発生させるために設けられている。ディスクモータユニット１８００のスピンドルには、前述の通りハブ８並びにターンテーブル９が設けられている。
【００３０】
シャーシ１０にはピックアップシャフト１６０１，１６０２が設けられている。ピックアップシャフト１６０１，１６０２は、互いに平行に設けられている。ピックアップシャフト１６０１，１６０２は、対物レンズ１４が、光ディスク２０の半径方向に、光ディスク２０に対して平行移動可能となる様に設けられている。
【００３１】
ピックアップヘッド１２に設けられた係合部１１０１、１１０２はピックアップヘッド１２をピックアップシャフト１６０１，１６０２に対して往復動可能となる様に支持している。これにより、対物レンズ１４が、光ディスク２０の半径方向に、光ディスク２０に対して平行移動可能となる。
【００３２】
図３は本発明の第１の実施の形態に係る光ディスク装置１００を示す図である。なお、図３では、説明の都合上、光ディスク２０および天板部１Ｂについては、その図示を省略している。
【００３３】
ディスクトレイ２には、シャッター１０１が設けられている。シャッター１０１は、シャッター板１０２、弾性支持体１０３を有している。シャッター板１０２は、光ディスク２０の記録面方向に往復動可能な状態で支持されている。シャッター板１０２は、孔１３の少なくとも一部と孔１５の少なくとも一部を覆う様に設けられている。シャッター板１０２は、シャッター板１０２が往復動した場合、覆われた孔１３と孔１５の少なくとも一部を開く様に支持されている。
【００３４】
弾性支持体１０３は、孔１３の少なくとも一部と孔１５の少なくとも一部を覆う方向へと、シャッター板１０２を付勢する様に設けられている。弾性支持体１０３には、例えば図３に示すようなねじりスプリングを用いることができる。
【００３５】
ディスクトレイ２には、変位伝達手段１０４が設けられている。変位伝達手段１０４には、例えば図３に示すようなリンク機構を用いることができる。変位伝達手段１０４にリンク機構を用いた場合、変位伝達手段１０４は第１リンク１０４ａと第２リンク１０４ｂを有している。第１リンク１０４ａと第２リンク１０４ｂは、その連結部が少なくとも１自由度について屈曲可能となる様に連結されている。
【００３６】
第１リンク１０４ａは、第２リンク１０４ｂとの連結部側と反対側の端部が、筐体１の一部と係合する様に設けられている。第１リンク１０４ａは、筐体１の開口部をディスクトレイ２が開閉する往復動する際に、筐体１とによって押される様に設けられている。
【００３７】
第２リンク１０４ｂは、第１リンク１０４ａとの連結部側と反対側の端部が、ディスクトレイ２の一部と係合するように設けられている。第２リンク１０４ｂは、例えばディスクトレイ２の一部と連結するように設けられ、その連結部は少なくとも１自由度について第２リンク１０４ｂが回動可能となるように設けられている。
【００３８】
変位伝達手段１０４は、ディスクトレイ２によって筐体１の開口部が閉じられる際、ディスクトレイ２が筐体１に対して閉じるように動く変位をシャッター板１０２に伝達し、弾性支持体１０３の付勢力に抗する方向へとシャッター板１０２を移動させる。シャッター板１０２の移動の結果、シャッター板１０２は、シャッター板１０２に覆われた孔１３と孔１５の少なくとも一部を開く。
【００３９】
ディスクトレイ２によって筐体１の開口部が開かれる際、第１リンク１０４ａを筐体１が押す力は緩められる。そうすると、弾性支持体１０３の付勢力によってシャッター板１０２は、筐体１の開口部が閉じられる際とは反対の方向へ移動する。
【００４０】
このようにしてできた光ディスク装置１００は、ピックアップヘッド１２が移動する範囲に亘って設けられた孔１３よりも、その幅が広い孔１５が設けられ、対物レンズ１４に加え、ピックアップヘッド１２の他の部分の少なくとも一部もさらに露出可能に構成されている。従って、光ディスク２０が回転する際、多くの光ディスク装置１００内の空気をピックアップヘッド１２回りに循環させることができる。よって、ピックアップヘッド１２に設けられた発熱する部品、特に発熱量の多い第２の光モジュール１２００に対する冷却に寄与し、部品の温度上昇を低減することができる。
【００４１】
また、筐体１の開口部が開かれ光ディスク２０をセット可能な状態の際、孔１３および孔１５の少なくとも一部をシャッター板１０２によって覆うことにより、ピックアップヘッド１２の少なくとも一部、特に外力に対して脆弱な部分を保護することができる。よって、ユーザが光ディスク２０のセットまたは取り出しの際、誤ってピックアップヘッド１２に触れてしまったり、光ディスク２０をぶつけてしまったりすることによるピックアップヘッド１２０の破損を防止することができる。
【００４２】
また、筐体１の開口部が開かれ光ディスク２０をセット可能な状態の際、孔１３および孔１５の少なくとも一部をシャッター板１０２によって覆うことにより、対物レンズ１４に誤ってユーザが触れてしまうことを防止することができる。よって、ユーザが光ディスク２０のセットまたは取り出しの際、誤って対物レンズ１４に指紋等の汚れを付着させてしまうことを防止することができる。
【００４３】
なお、本実施の形態では孔１３と孔１５との位置関係については特に規定していない。しかし、図１に示す様に、ピックアップヘッド１２が移動する範囲に亘って設けられた孔１３よりも、その幅が広い孔１５が光ディスク２０の外周側に位置するように、孔１３および孔１５を設けた方が好ましい。
【００４４】
これは、光ディスク２０のほとんどが、内周側から外周側へと再生や記録の動作が行われる様に構成されているためである。内周側から再生や記録を始めた際、ピックアップヘッド１２の部品の温度はあまり高くないが、長時間に渡って再生や記録を続けると、ピックアップヘッド１２は外周側へと移動してくる。この段階では、ピックアップヘッド１２の部品は発熱を続けた後なので、ピックアップヘッド１２の温度は再生や記録を始めた内周側に比べ高い傾向がある。
【００４５】
従って、孔１３よりも、孔１５が光ディスク２０の外周側に位置するように孔１３および孔１５を設けた場合、ピックアップヘッド１２の温度がより高い外周側における再生や記録の際、さらに多くの空気をピックアップヘッド１２回りに循環させることができる。
【００４６】
また、本実施の形態では、シャッター板１０２の形状を五角形とした実施の形態について説明したが、シャッター板１０２の形状はこれに限定するものではなく、孔１３および孔１５の少なくとも一部を覆うことができる形状であれば構わない。
【００４７】
また、本発明の実施の形態では、シャッター板１０２の移動は、筐体１の開口部の開閉の変位を伝達して実現している。しかし、例えば温度センサやアクチュエータを組み合わせ、ピックアップヘッド１２０の温度が閾値を超えた場合に、シャッター板１０２を開いてピックアップヘッド１２０に設けられた部品を冷却することもできる。
【００４８】
さらに、アクチュエータによってシャッター板１０２を開く場合には、例えば、ピックアップヘッド１２０に設けられた部品の発熱量の多い動作の場合のみ、たとえばＤＶＤの書き込み動作のみに開くように構成することもできる。
【００４９】
（本発明の第２の実施の形態）
図４は本発明の第２の実施の形態に係る光ディスク装置を示す図である。なお、図４では、説明の都合上、光ディスク２０および天板部１Ｂについては、その図示を省略している。また、本発明の第１の実施の形態に係る光ディスク装置と同一部分は、同一符号で示し、その説明を省略する。
【００５０】
本実施の形態では、第１の実施の形態におけるリンク機構を用いた変位伝達手段１０４に替えて、図４に示す様に、リンク機構以外の変位伝達手段を用いてシャッター板１０２を移動させる。
【００５１】
ディスクトレイ２には、シャッター２０１が設けられている。シャッター２０１は、シャッター板２０２、弾性支持体１０３を有している。シャッター板２０２は光ディスク２０の回転方向に回動可能に支持されている。シャッター板２０２は、孔１３の少なくとも一部と孔１５の少なくとも一部を覆う様に設けられている。シャッター板２０２は、シャッター板２０２が回動した場合、覆われた孔１３と孔１５の少なくとも一部を開く様に支持されている。
【００５２】
ディスクトレイ２には、変位伝達手段２０４が設けられている。位置変位手段２０４は、変位伝達部材２０４ａを有しており、その少なくとも一部が筐体１の一部と係合する様に設けられている。変位伝達部材２０４ａは、筐体１の開口部をディスクトレイ２が開閉する往復動する際に、筐体１とによって押される様に設けられている。
【００５３】
変位伝達部材２０４ａとシャッター板２０２は、連結部２０４ｂにて連結されている。シャッター板２０２に対し変位伝達部材２０４ａが回動可能となるように連結部２０４ｂにて連結されている。また、筐体１の開口部をディスクトレイ２が開閉する直線方向の変位を、シャッター板２０２の回動する回動方向への変位に変換可能な位置に、連結部２０４ｂは設けられている。
【００５４】
このようにしてできた光ディスク装置は、第１の実施の形態における光ディスク装置と同様に、ピックアップヘッド１２が移動する範囲に亘って設けられた孔１３よりも、その幅が広い孔１５が設けられ、対物レンズ１４に加え、ピックアップヘッド１２の他の部分の少なくとも一部もさらに露出可能に構成されている。従って、光ディスク２０が回転する際、多くの光ディスク装置内の空気をピックアップヘッド１２回りに循環させることができる。よって、ピックアップヘッド１２に設けられた発熱する部品、特に発熱量の多い第２の光モジュール１２００に対する冷却に寄与し、部品の温度上昇を低減することができる。
【００５５】
また、筐体１の開口部が開かれ光ディスク２０をセット可能な状態の際、孔１３および孔１５の少なくとも一部をシャッター板１０２によって覆うことにより、ピックアップヘッド１２の少なくとも一部、特に外力に対して脆弱な部分を保護することができる。よって、ユーザが光ディスク２０のセットまたは取り出しの際、誤ってピックアップヘッド１２に触れてしまったり、光ディスク２０をぶつけてしまったりすることによるピックアップヘッド１２０の破損を防止することができる。
【００５６】
また、筐体１の開口部が開かれ光ディスク２０をセット可能な状態の際、孔１３および孔１５の少なくとも一部をシャッター板１０２によって覆うことにより、対物レンズ１４に誤ってユーザが触れてしまうことを防止することができる。よって、ユーザが光ディスク２０のセットまたは取り出しの際、誤って対物レンズ１４に指紋等の汚れを付着させてしまうことを防止することができる。
【００５７】
（本発明の第３の実施の形態）
図５は本発明の第３の実施の形態に係る光ディスク装置を示す斜視図である。なお、図５では、説明の都合上、光ディスク２０については、その図示を省略している。また、本発明の第１の実施の形態および第２の実施の形態に係る光ディスク装置と同一部分は、同一符号で示し、その説明を省略する。
【００５８】
本実施の形態では、第１の実施の形態におけるスライド機構とフロントベゼル板７を有する開閉機構に替えて、カバー３０１を有する開閉機構を用いる。
【００５９】
筐体１には、カバー３０１が設けられている。カバー３０１は筐体１にヒンジ３０２を用いて、回動可能に支持されている。カバー３０１が回動することにより、筐体１の開口部はカバー３０１によって開閉される。
【００６０】
カバー３０１とシャッター板１０２は、変位伝達手段３０３を用いて接続されている。変位伝達手段は、第１リンク３０３ａと第２リンク３０３ｂとを有する。第１リンク３０３ａは、一方の端がカバー３０１と回動可能な状態で接続される。
【００６１】
第２リンク３０３ｂは、一方の端がシャッター板１０２に固定されている。第２リンク３０３ｂの他方の端は、第１リンク３０３ａの他方の端と連結されている。第１リンク３０３ａと第２リンク３０３ｂとの連結部は、その連結部が少なくとも１自由度について屈曲可能となる様に連結されている。
【００６２】
孔１３の少なくとも一部と孔１５の少なくとも一部を覆う方向へと、第２リンク３０３ｂを介してシャッター板１０２を付勢する様に、弾性支持体１０３は設けられている。
【００６３】
このようにしてできた光ディスク装置は、第１の実施の形態における光ディスク装置と同様に、ピックアップヘッド１２が移動する範囲に亘って設けられた孔１３よりも、その幅が広い孔１５が設けられ、対物レンズ１４に加え、ピックアップヘッド１２の他の部分の少なくとも一部もさらに露出可能に構成されている。従って、光ディスク２０が回転する際、多くの光ディスク装置内の空気をピックアップヘッド１２回りに循環させることができる。よって、ピックアップヘッド１２に設けられた発熱する部品、特に発熱量の多い第２の光モジュール１２００に対する冷却に寄与し、部品の温度上昇を低減することができる。
【００６４】
また、筐体１の開口部が開かれ光ディスク２０をセット可能な状態の際、孔１３および孔１５の少なくとも一部をシャッター板１０２によって覆うことにより、ピックアップヘッド１２の少なくとも一部、特に外力に対して脆弱な部分を保護することができる。よって、ユーザが光ディスク２０のセットまたは取り出しの際、誤ってピックアップヘッド１２に触れてしまったり、光ディスク２０をぶつけてしまったりすることによるピックアップヘッド１２０の破損を防止することができる。
【００６５】
また、筐体１の開口部が開かれ光ディスク２０をセット可能な状態の際、孔１３および孔１５の少なくとも一部をシャッター板１０２によって覆うことにより、対物レンズ１４に誤ってユーザが触れてしまうことを防止することができる。よって、ユーザが光ディスク２０のセットまたは取り出しの際、誤って対物レンズ１４に指紋等の汚れを付着させてしまうことを防止することができる。
【図面の簡単な説明】
【００６６】
【図１】本発明の第１の実施の形態に係る光ディスク装置を示す斜視図
【図２】本発明の第１の実施の形態に係る光ディスク装置の内部を一部拡大して示す図
【図３】本発明の第１の実施の形態に係る光ディスク装置を示す図
【図４】本発明の第２の実施の形態に係る光ディスク装置を示す図
【図５】本発明の第３の実施の形態に係る光ディスク装置を示す斜視図
【符号の説明】
【００６７】
１  筐体
１Ａ  底部筐体
１Ｂ  天板部
２  ディスクトレイ
３  スライド
４  スライドホルダ
５  ドロワーフレーム
６  機構部
７  フロントベゼル板
８  ハブ
９  ターンテーブル
１０  シャーシ
１２  ピックアップヘッド
１３  孔
１４  対物レンズ
１５  孔
２０  光ディスク
１００  光ディスク装置
１０１、２０１  シャッター
１０２、２０２  シャッター板
１０３  弾性支持体
１０４、２０４  変位伝達手段
１０４ａ  第１リンク
１０４ｂ  第２リンク
２０４ａ  変位伝達部材
２０４ｂ  連結部
１１００  第１の光モジュール
１２００  第２の光モジュール
１３００  波長選択性反射手段
１４００  立ち上げ手段
１８００  ディスクモータユニット
１６０１、１６０２  ピックアップシャフト
【図１】
2007080364.tif 000003
【図２】
2007080364.tif 000004
【図３】
2007080364.tif 000005
【図４】
2007080364.tif 000006
【図５】
2007080364.tif 000007